(57)【特許請求の範囲】
【請求項１】
移動端末であって、
ワイヤレスネットワークとの通信のための、複数の異なるモデム動作モードで動作するように構成されるモデムと、
トリガイベントの検出をモニタし、
前記移動端末の状態に依存するトリガイベントを検出することに応答して、少なくとも１つの制約に従って前記複数のモデム動作モードの中から１つのモデム動作モードを選択するためのモード選択を実行し、及び、
選択された前記モデム動作モードで動作を開始するように前記モデムを制御する、
ように動作する処理デバイスと、
を含み、
前記モデムは、前記複数の異なるモデム動作モードの各々において動作可能であり、
前記少なくとも１つの制約は、どの１つのモデム動作モード又はどの複数のモデム動作モードが選択されることが許可されるかを、前記移動端末の１つ又はいくつかのパラメータの関数として定義し、
選択された前記モデム動作モードは、各モデム動作モードに関連する送信繰返し回数によって少なくとも1つのさらなるモデム動作モードと区別され、前記モデムは、第１のモデム動作モードにおいては第１の送信繰返し回数に到達するまで送信を繰り返し、第２のモデム動作モードにおいては第２の送信繰返し回数に到達するまで送信を繰り返す、移動端末。
【請求項２】
前記少なくとも１つの制約のうちの各制約は、静的であるか又は前記ワイヤレスネットワークにより構成されるかのいずれかである、請求項１に記載の移動端末。
【請求項３】
前記移動端末は、前記少なくとも１つの制約のうちの１つの制約を定義するシグナリングを前記ワイヤレスネットワークから受信するように動作する、請求項２に記載の移動端末。
【請求項４】
前記シグナリングは、無線リソース制御（ＲＲＣ）シグナリングを含む、請求項３に記載の移動端末。
【請求項５】
前記シグナリングにより定義される前記制約は、セル固有の制約である、請求項３に記載の移動端末。
【請求項６】
前記少なくとも１つの制約のうちのさらなる制約は、前記移動端末内に静的に記憶される、請求項１に記載の移動端末。
【請求項７】
前記処理デバイスは、前記制約と前記移動端末に関連付けられる少なくとも１つのパラメータとに基づいて、前記複数のモデム動作モードのサブセットを識別するように動作する、請求項１に記載の移動端末。
【請求項８】
前記少なくとも１つのパラメータは、前記移動端末により実行されるアプリケーションに関する情報を含み、前記モード選択は、前記アプリケーションが前記移動端末によって実行される間の前記移動端末へのデータ転送を減少させるように実行される、請求項７に記載の移動端末。
【請求項９】
前記少なくとも１つのパラメータは、マシンタイプ通信ケイパビリティを含む、請求項７に記載の移動端末。
【請求項１０】
前記処理デバイスは、マシンタイプ通信（ＭＴＣ）モードが選択されることを前記少なくとも１つの制約が容認する場合に、前記モード選択において前記複数のモデム動作モードの中から前記ＭＴＣモードを選択し、及び、前記ＭＴＣモードで動作を開始するように前記移動端末を制御する、ように動作する、請求項１に記載の移動端末。
【請求項１１】
前記モデムは、前記移動端末が前記ＭＴＣモードで動作する間に、消費電力低減状態とアクティブ状態との間で遷移する、請求項１０に記載の移動端末。
【請求項１２】
前記選択されたモデム動作モードは、消費電力により、並びに、
変調フォーマット、
最大出力電力、及び、
周波数ホッピングレート、
のうちの少なくとも１つにより、少なくとも１つのさらなるモデム動作モードと区別される、請求項１に記載の移動端末。
【請求項１３】
複数の基地局を含むセルラーワイヤレスネットワークと、
移動端末と、
を含み、
前記移動端末は、
前記セルラーワイヤレスネットワークとの通信のための、複数の異なるモデム動作モードで動作するように構成されるモデムと、
トリガイベントの検出をモニタし、
前記移動端末の状態に依存するトリガイベントを検出することに応答して、少なくとも１つの制約に従って前記複数のモデム動作モードの中から１つのモデム動作モードを選択するためのモード選択を実行し、及び、
選択された前記モデム動作モードで動作を開始するように前記モデムを制御する、
ように動作する処理デバイスと、
を含み、
前記モデムは、前記複数の異なるモデム動作モードの各々において動作可能であり、
前記少なくとも１つの制約は、どの１つのモデム動作モード又はどの複数のモデム動作モードが選択されることが許可されるかを、前記移動端末の１つ又はいくつかのパラメータの関数として定義し、
選択された前記モデム動作モードは、各モデム動作モードに関連する送信繰返し回数によって少なくとも1つのさらなるモデム動作モードと区別され、前記モデムは、第１のモデム動作モードにおいては第１の送信繰返し回数に到達するまで送信を繰り返し、第２のモデム動作モードにおいては第２の送信繰返し回数に到達するまで送信を繰り返す、システム。
【請求項１４】
移動端末を制御する方法であって、前記移動端末はワイヤレスネットワークとの通信のためのモデムを含み、前記モデムは複数の異なるモデム動作モードで動作するように構成され、前記方法は、
前記移動端末の処理デバイスにより、トリガイベントの検出をモニタすることと、
前記移動端末の前記処理デバイスにより、前記移動端末の状態に依存するトリガイベントを検出することに応答して、少なくとも１つの制約に従って前記複数のモデム動作モードの中から１つのモデム動作モードを選択するためのモード選択を実行することと、
前記処理デバイスにより、選択された前記モデム動作モードで動作を開始するように前記モデムを制御することと、
を含み、
前記モデムは、前記複数の異なるモデム動作モードの各々において動作可能であり、
前記少なくとも１つの制約は、どの１つのモデム動作モード又はどの複数のモデム動作モードが選択されることが許可されるかを、前記移動端末の１つ又はいくつかのパラメータの関数として定義し、
選択された前記モデム動作モードは、各モデム動作モードに関連する送信繰返し回数によって少なくとも1つのさらなるモデム動作モードと区別され、前記モデムは、第１のモデム動作モードにおいては第１の送信繰返し回数に到達するまで送信を繰り返し、第２のモデム動作モードにおいては第２の送信繰返し回数に到達するまで送信を繰り返す、方法。
【請求項１５】
前記少なくとも１つの制約のうちの各制約は、静的であるか又は前記ワイヤレスネットワークにより構成されるかのいずれかである、請求項１４に記載の方法。
【請求項１６】
前記モデムにより、前記少なくとも１つの制約のうちの１つの制約を定義するシグナリングを前記ワイヤレスネットワークから受信すること、をさらに含む、請求項１５に記載の方法。
【請求項１７】
前記モード選択を実行することは、前記少なくとも１つの制約と前記移動端末に関連付けられる少なくとも１つのパラメータとに基づいて、前記複数のモデム動作モードのサブセットを識別すること、をさらに含む、請求項１４に記載の方法。
【請求項１８】
前記少なくとも１つのパラメータは、マシンタイプ通信ケイパビリティを含む、請求項１７に記載の方法。
【請求項１９】
マシンタイプ通信（ＭＴＣ）モードが選択されることを前記少なくとも１つの制約が容認する場合に、
前記モード選択を実行することは、前記モード選択において前記複数のモデム動作モードの中から前記ＭＴＣモードを選択することを含み、
前記モデムを制御することは、前記ＭＴＣモードで動作を開始するように前記モデムを制御することを含む、請求項１４に記載の方法。
【請求項２０】
前記選択されたモデム動作モードは、消費電力により、並びに、
変調フォーマット、
最大出力電力、
周波数ホッピングレート、及び、
送信繰返し回数、
のうちの少なくとも１つにより、少なくとも１つのさらなるモデム動作モードと区別される、請求項１４に記載の方法。
【発明の詳細な説明】
【技術分野】
【０００１】
本発明の実施形態は、ワイヤレス通信に関する。本発明の実施形態は、特に、ワイヤレスネットワークとの通信のために構成される移動端末、システム、及び、上記移動端末のモデムの動作モードを制御するデバイスにより実行される方法、に関する。
【背景技術】
【０００２】
移動音声及びデータ通信の人気が高まるにつれて、高速データ通信の需要が益々高まっている。ワイヤレスネットワークの現代の移動端末、例えばスマートフォンは、高度な処理ケイパビリティを有する。移動端末は、多種多様なアプリケーションを実行することができる。これらのアプリケーションは、ソーシャルネットワーク、電子メールサービス、ニュース更新センターや天気予報といった更新クライアント、を含むが、これらに限定されない。
【０００３】
これらのアプリケーションのうちのいくつかは、移動端末が使用されていない時にも動作し続ける。これらのアプリケーションのうちのいくつかは、移動端末の画面がオフにされても連続的に又は準連続的に動作し続け得る。このケースでは、アプリケーションは、移動端末のモデムを介してデータを送信又は受信し続け得る。このため、アプリケーションを実行する移動端末のプロセッサは、長引いた時間ピリオドの間、動作することを強いられる。さらに、アプリケーションがデータを送信又は受信できるように、モデムも繰り返しオンにされる。このため、移動端末が使用されていない時にユーザに対して限られた利益しか与えていない間にも、バッテリの寿命は縮まる。
【０００４】
モデムの消費電力を低減するために、移動端末は、様々な状態に設定され得る。例示として、「3rd  Generation  Partnership  Project;  Technical  Specification  Group  Radio  Access  Network;  Radio  Resource  Control  (RRC);  Protocol  specification  (Release  12)」と題された３ＧＰＰ仕様ＴＳ２５．３３１  Ｖ１２．４．０（２０１４−１２）は、セクション７．１において様々なＲＲＣ状態を定義している。移動端末は、例えばタイマが満了した時に、これらの状態のうちのいくつかに自律的に入り得る。しかしながら、異なる状態間の予め定義された遷移は、モデム動作を制御する自在性を限定しかねない。
【０００５】
消費電力が異なり得る複数のモデム動作モードを制御するために、モデムについて別の動作モードを移動端末が使用することを許可するように移動端末がワイヤレスネットワークに対して要求する専用のシグナリングが実装され得る。こうした技術は、移動端末による電力低減モードの利用に対する制御権をワイヤレスネットワークに与えるが、ネットワーク負荷を増大させる。
【発明の概要】
【発明が解決しようとする課題】
【０００６】
移動端末のモデム動作モードを制御する旧来の技術に関連付けられる問題を軽減するデバイス及び方法が、当該技術分野において引き続き求められている。移動端末がそのモデムの動作モードを変更するために専用のシグナリングを必要としないデバイス及び方法が特に求められている。
【課題を解決するための手段】
【０００７】
実施形態に従えば、移動端末のモデムについての動作モードの、イベントトリガ型切り替えが導入される。イベントトリガ型切り替えは、少なくとも制約に従って複数のモードの中から１つのモードを選択する、モード選択を含み得る。複数のモードの中から１つのモードを選択することは、動作状態間の予め定義された固定された遷移に比べて、自在性を向上させる。この際、１つ又はいくつかの制約を考慮するが、それらは静的であるか又はネットワーク構成されるかのいずれかであってよく、それによりそれらの制約はワイヤレスネットワークに認識される。イベントトリガ型手続としてのモード切り替えを実装することにより、モデムが動作するモードを移動端末が変更するために専用のシグナリングが不要となる。
【０００８】
制約を使用することで、専用のシグナリングが関与しない場合にも、移動端末により使用され得るモードに対するネットワークの制御が増強された。例示として、所定のモードの使用は、ユーザ機器（ＵＥ）のカテゴリ、モデムの利用、又は移動端末に関連付けられる他のパラメータに依存して、少なくとも１つの制約により選択的に許可されるか又は選択的に禁止され得る。
【０００９】
一実施形態に従った移動端末は、ワイヤレスネットワークとの通信のための、複数の異なるモードで動作するように構成されるモデム、を含む。トリガイベントの検出に応答して、少なくとも１つの制約に従って複数のモードの中から１つのモードを選択するためのモード選択を実行し、及び、選択されたモードで動作を開始するようにモデムを制御する、ように動作する処理デバイスを、移動端末は含む。
【００１０】
少なくとも１つの制約のうちの各制約は、静的であるか又はワイヤレスネットワークにより構成されるかのいずれかであり得る。このため、各モード切り替えについて専用のシグナリングがない場合にも、モード変更に対して大きな制御権をネットワークが確実に有することができる。
【００１１】
移動端末は、少なくとも１つの制約のうちの１つの制約を定義するシグナリングをワイヤレスネットワークから受信するように動作し得る。
【００１２】
シグナリングは、無線リソース制御（ＲＲＣ）シグナリングを含み得る。ＲＲＣシグナリングは、レイヤ１、レイヤ２、及び／又はレイヤ３のシグナリングを含み得る。
【００１３】
制約は、ワイヤレスネットワークにより設定されるセル固有の制約であり得る。
【００１４】
少なくとも１つの制約のうちのさらなる制約は、静的であり得る。このさらなる制約は、移動端末内に記憶され得る。
【００１５】
処理デバイスは、上記制約及び、移動端末に関連付けられる少なくとも１つのパラメータに基づいて、複数のモードのサブセットを識別するように動作し得る。これにより、複数のモードのうち、順守されるべきすべての制約に適合する複数のモードが識別され得る。例えば、消費電力最小化基準に基づいて、当該サブセットの中から１つのモードが選択され得る。
【００１６】
少なくとも１つのパラメータは、移動端末により実行されるアプリケーションに関する情報を含み、モード選択は、アプリケーションが移動端末によって実行される間の移動端末へのデータ転送を減少させるように実行され得る。トリガイベントは、移動端末の画面がオフにされることであってよく、これにより、アプリケーションが引き続き実行されている時にも、画面がオフである間のデータ転送が減じられる。
【００１７】
モード選択において考慮される少なくとも１つのパラメータは、移動端末に割り当てられるユーザ機器（ＵＥ）カテゴリを含み得る。
【００１８】
モード選択において考慮される少なくとも１つのパラメータは、追加的に又は代替的に、移動端末のマシンタイプ通信ケイパビリティを含み得る。
【００１９】
モード選択において考慮される少なくとも１つのパラメータは、追加的に又は代替的に、移動端末からワイヤレスネットワークへ及び／又はワイヤレスネットワークから移動端末へ行われるデータ送信を移動端末が要求するレート、を含み得る。
【００２０】
モード選択において考慮される少なくとも１つのパラメータは、追加的に又は代替的に、時間当たりに移動端末により送信されるデータの量、を含み得る。
【００２１】
異なるモードは、モデムの異なる消費電力をもたらし得る。これにより、例えば、移動端末の画面がオフにされる時の消費電力の問題が軽減され得る。
【００２２】
複数のモードのうちの少なくとも１つのモードは、そのモードで動作している間に移動端末が異なるＲＲＣ状態間で遷移するように構成され得る。
【００２３】
処理デバイスは、マシンタイプ通信（ＭＴＣ）モードが選択されることを少なくとも１つの制約が容認する場合に、モード選択において複数のモードの中からＭＴＣモードを選択し、及び、ＭＴＣモードで動作を開始するように移動端末を制御する、ように動作し得る。これにより、効率的な電力の低減が達せられ得る。
【００２４】
ＭＴＣモードは、ＬＴＥ（Long  Term  Evolution）−ＭＴＣモードであり得る。
【００２５】
モデムは、移動端末がＭＴＣモードで動作する間に、消費電力低減状態とアクティブ状態との間で遷移し得る。
【００２６】
選択されたモードは、消費電力において、少なくとも１つのさらなるモードと区別され得る。
【００２７】
追加的に又は代替的に、選択されたモードは、変調フォーマット、最大出力電力、周波数ホッピングレート、及び送信繰返し回数のうちの少なくとも１つにより、少なくとも１つのさらなるモードと区別され得る。
【００２８】
移動端末は、ユーザ機器であり得る。ユーザ機器は、ＬＴＥ（Long  Term  Evolution）ネットワークとの通信のために構成され得る。移動端末は、携帯電話、例えばスマートフォンであってもよい。
【００２９】
移動端末は、マシンツーマシン（Ｍ２Ｍ）端末であってもよい。移動端末は、ワイヤレスネットワークを介してＭ２Ｍ通信を行うように動作し得る。
【００３０】
一実施形態に従ったシステムは、複数の基地局を含むセルラーワイヤレスネットワークを含む。このシステムは、当該複数の基地局との通信のために構成される一実施形態に従った移動端末を含む。
【００３１】
セルラーワイヤレスネットワークのノードは、モード選択において移動端末により使用される少なくとも１つの制約のうちの１つの制約を構成するように動作し得る。
【００３２】
一実施形態に従えば、移動端末を制御する方法が提供される。移動端末は、ワイヤレスネットワークとの通信のためのモデムを含み、モデムは、複数の異なるモードで動作するように構成される。方法は、移動端末の処理デバイスにより、トリガイベントの検出に応答して少なくとも１つの制約に従って複数のモードの中から１つのモードを選択するためのモード選択を実行することを含む。方法は、選択されたモードで動作を開始するようにモデムを制御することを含む。
【００３３】
方法は、任意の実施形態に従った移動端末により実行され得る。
【００３４】
方法において、少なくとも１つの制約のうちの各制約は、静的であるか又はワイヤレスネットワークにより構成されるかのいずれかであり得る。このため、各モード切り替えについて専用のシグナリングがない場合にも、モード変更に対して大きな制御権をネットワークが確実に有することができる。
【００３５】
方法は、移動端末により、少なくとも１つの制約のうちの１つの制約を定義するシグナリングをワイヤレスネットワークから受信することを含み得る。
【００３６】
シグナリングは、無線リソース制御（ＲＲＣ）シグナリングを含み得る。ＲＲＣシグナリングは、レイヤ１、レイヤ２、及び／又はレイヤ３のシグナリングを含み得る。
【００３７】
方法は、セル固有のやり方でワイヤレスネットワークにより制約を設定することを含み得る。
【００３８】
少なくとも１つの制約のうちのさらなる制約は、静的であり得る。このさらなる制約は、移動端末内に記憶され得る。
【００３９】
モード選択を実行することは、上記制約及び、移動端末に関連付けられる少なくとも１つのパラメータに基づいて、複数のモードのサブセットを識別することを含み得る。これにより、複数のモードのうち、順守されるべきすべての制約に適合する複数のモードが識別され得る。例えば、消費電力最小化基準に基づいて、当該サブセットの中から１つのモードが選択され得る。
【００４０】
方法において、少なくとも１つのパラメータは、移動端末により実行されるアプリケーションに関する情報を含み、モード選択は、移動端末によってアプリケーションが実行される間の移動端末へのデータ転送を減少させるように実行され得る。トリガイベントは、移動端末の画面がオフにされることであってよく、これにより、アプリケーションが引き続き実行されている時にも、画面がオフである間のデータ転送が減じられる。
【００４１】
方法において、モード選択において考慮される少なくとも１つのパラメータは、移動端末に割り当てられるユーザ機器（ＵＥ）カテゴリを含み得る。
【００４２】
方法において、モード選択において考慮される少なくとも１つのパラメータは、追加的に又は代替的に、移動端末のマシンタイプ通信ケイパビリティを含み得る。
【００４３】
方法において、モード選択において考慮される少なくとも１つのパラメータは、追加的に又は代替的に、移動端末からワイヤレスネットワークへ及び／又はワイヤレスネットワークから移動端末へ行われるデータ送信を移動端末が要求するレート、を含み得る。
【００４４】
方法において、モード選択において考慮される少なくとも１つのパラメータは、追加的に又は代替的に、時間当たりに移動端末により送信されるデータの量、を含み得る。
【００４５】
方法において、異なるモードは、異なるモデム消費電力をもたらし得る。これにより、例えば、移動端末の画面がオフにされる時の消費電力の問題が軽減され得る。
【００４６】
方法において、複数のモードのうちの少なくとも１つのモードは、そのモードで動作している間に移動端末が異なるＲＲＣ状態間で遷移するように構成され得る。
【００４７】
モード選択を実行することは、マシンタイプ通信（ＭＴＣ）モードが選択されることを少なくとも１つの制約が容認する場合に、モード選択において複数のモードの中からＭＴＣモードを選択し、及び、ＭＴＣモードで動作を開始するように移動端末を制御すること、を含み得る。これにより、効率的な電力の低減が達せられ得る。
【００４８】
方法において、ＭＴＣモードは、ＬＴＥ（Long  Term  Evolution）−ＭＴＣモードであり得る。
【００４９】
方法において、モデムは、移動端末がＭＴＣモードで動作する間に、消費電力低減状態とアクティブ状態との間で遷移し得る。
【００５０】
方法において、選択されたモードは、消費電力において、少なくとも１つのさらなるモードと区別され得る。
【００５１】
方法において、選択されたモードは、追加的に又は代替的に、変調フォーマット、最大出力電力、周波数ホッピングレート、及び送信繰返し回数のうちの少なくとも１つにより、少なくとも１つのさらなるモードと区別され得る。
【００５２】
方法において、移動端末は、ユーザ機器であり得る。ユーザ機器は、ＬＴＥ（Long  Term  Evolution）ネットワークとの通信のために構成され得る。移動端末は、携帯電話、例えばスマートフォンであってもよい。
【００５３】
方法において、移動端末は、マシンツーマシン（Ｍ２Ｍ）端末であってもよい。移動端末は、ワイヤレスネットワークを介してＭ２Ｍ通信を行うように動作し得る。
【発明の効果】
【００５４】
実施形態に従った移動端末、システム、及び方法において、モデムの動作モードは、トリガイベントに応答して切り替えられ得る。モード切り替えを行うためにシグナリングは何ら実行されることはない。
【００５５】
実施形態に従ったデバイス、システム、及び方法は、ネットワーク負荷を増大させることなく、例えば通常のフル動作（fully  operative）モードよりも消費電力が低いモードへの遷移を移動端末が開始することができるようにする。ワイヤレスネットワークは、静的でありそれ故にワイヤレスネットワークに認識されている制約又は、ワイヤレスネットワークにより構成され得る制約を使用することによりそれぞれ選択されるモードに対して、依然として制御権を行使することができる。
【図面の簡単な説明】
【００５６】
本発明の実施形態について添付の図面を参照しながら説明する。図中、同じ又は同様の参照番号は、同じ又は同様の要素を示す。
【００５７】
【図１】一実施形態によるシステムの概略図である。
【図２】一実施形態による方法のフローチャートである。
【図３】一実施形態による方法のフローチャートである。
【図４】少なくとも１つの制約に従ったモード選択を示す図である。
【図５】一実施形態による方法における移動端末の動作を示す図である。
【図６】一実施形態による方法における移動端末の動作を示す図である。
【図７】少なくとも１つの制約に従ったモード選択を示す図である。
【図８】一実施形態による移動端末の機能ユニットのブロック図表現である。
【発明を実施するための形態】
【００５８】
本発明の例示的な実施形態について図面を参照しながら説明する。いくつかの実施形態は特定の応用分野の文脈において、例えば例示的な無線アクセス技術の文脈において説明されるが、実施形態はこの応用分野に限定されない。種々の実施形態の特徴は、特に記載のない限り、互いに組み合わせられ得る。
【００５９】
図１は、一実施形態による通信システム１の概略図である。通信システム１は、移動端末２０を含む。通信システム１は、ワイヤレスネットワーク１０を含む。ワイヤレスネットワーク１０は、無線アクセスネットワーク（ＲＡＮ）を有する。
【００６０】
ワイヤレスネットワーク１０は、セルラーネットワークであり得る。無線アクセスネットワークは、複数の基地局１１〜１３を含む。基地局１１〜１３は、当該無線アクセスネットワークにおいて、又はワイヤレスネットワーク１０のコアネットワーク（ＣＮ）において提供され得る他のノード１４、１５に、動作可能に連結され得る。ワイヤレスネットワーク１０、基地局１１〜１３、及びノード１４、１５の具体的な構成は、通信標準に依存する。例示として、ワイヤレスネットワーク１０は、ＧＳＭ（Global  System  for  Mobile  Communications）ネットワークであってよい。このケースでは、ＲＡＮはＧＥＲＡＮ（GSM  EDGE  Radio  Access  Network）であり、ノード１４、１５は基地局コントローラである。ワイヤレスネットワーク１０は、ＵＭＴＳ（Universal  Mobile  Telecommunications  System）ネットワークであってもよい。このケースでは、ＲＡＮはＵＴＲＡＮ（UMTS  Terrestrial  Radio  Access  Network）であり、基地局１１〜１３はそれぞれＮｏｄｅＢであり、ノード１４、１５は無線ネットワークコントローラ（ＲＮＣ）である。ワイヤレスネットワーク１０は、ＬＴＥ（Long  Term  Evolution）ネットワークであってもよい。このケースでは、ＲＡＮはｅＵＴＲＡＮ（evolved  UTRAN）であり、基地局１１〜１３はそれぞれｅＮｏｄｅＢ（evolved  Node  B）であり、ノード１４、１５はコアネットワークにおけるＭＭＥ（Mobility  Management  Entity）及び／又はＳ−ＧＷ（Serving  Gateway）である。
【００６１】
移動端末２０は、少なくとも１つの無線アクセスネットワーク（ＲＡＮ）と通信するための、１つのワイヤレスインタフェース２１、又はいくつかのワイヤレスインタフェース２１を有する。ワイヤレスインタフェース２１は、モデム２２を含む。モデム２２は、移動端末２０により使用されるそれぞれの通信標準のために必要とされる変調及び復調をそれぞれ実行する。
【００６２】
移動端末２０は、無線リソース制御（ＲＲＣ）プロトコルに従ったＲＡＮとの通信のために構成され得る。例示として、移動端末２０は、３ＧＰＰ仕様ＴＳ２５．３３１に従ってＲＡＮと通信するように動作し得る。移動端末２０は、「3rd  Generation  Partnership  Project;  Technical  Specification  Group  Radio  Access  Network;  Radio  Resource  Control  (RRC);  Protocol  specification  (Release  12)」と題された３ＧＰＰ仕様ＴＳ２５．３３１  Ｖ１２．４．０（２０１４−１２）に従ってＲＡＮと無線通信するように構成され得る。代替的に又は追加的に、移動端末２０は、３ＧＰＰ仕様ＴＳ３６．３３１に従ってＲＡＮと通信するように動作してもよい。移動端末２０は、「3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  specification (Release  12)」と題された３ＧＰＰ仕様ＴＳ３６．３３１  Ｖ１２．４．１（２０１４−１２）に従ってＲＡＮと無線通信するように構成されてもよい。
【００６３】
モデム２２は、複数の異なるモードに従って動作するように構成される。モードは、その消費電力において、互いに区別され得る。代替的に又は追加的に、モードは、プロトコル機能が選択的にアクティブ化又は非アクティブ化される点で、互いに区別され得る。例示として、複数のモードのうちの１つは、ＬＴＥ（long  term  evolution）に従ったマシンタイプ通信（ＭＴＣ）モードであってよい。少なくとも１つの他のモードは、ＭＴＣモードではないモードであってよい。
【００６４】
複数のモードのうちの少なくともいくつかにおいては、移動端末２０により受信されるデータ転送又は他のメッセージを処理するためのモデム２２の利用は、消費電力を低減するために限定され得る。モデムの消費電力が低いこれらのモードは、本明細書では、省電力モード、又は単に、通常のフル動作モードよりも消費電力が低いモード、としても言及される。
【００６５】
複数のモードのうちの少なくともいくつかにおいては、移動端末２０により送信されるべきデータを処理するための、及び／又は移動端末２０により受信されるデータ転送を処理するためのモデム２２の利用は、モデム２２のデフォルトモードと比較して、調整され得る。例示として、モデム２２は、デフォルトモードと、デフォルトモードの変調方式とは異なる変調方式を使用する少なくとも１つのさらなるモードと、を有し得る。代替的に又は追加的に、モデム２２は、デフォルトモードと、デフォルトモードの変調方式とは異なる周波数ホッピング方式を使用する少なくとも１つのさらなるモードと、を有し得る。代替的に又は追加的に、モデム２２は、デフォルトモードと、デフォルトモードの最大出力電力とは異なる最大出力電力を有する少なくとも１つのさらなるモードと、を有し得る。代替的に又は追加的に、モデム２２は、第１の送信繰返し回数に到達するまで送信を繰り返すデフォルトモードと、第１の送信繰返し回数とは異なる第２の送信繰返し回数に到達するまで送信を繰り返す少なくとも１つのさらなるモードと、を有し得る。
【００６６】
複数のモードのうちのいくつか又はすべてにおいて、移動端末２０は、移動端末２０がＲＲＣ非接続状態にあるアイドル状態と、ＲＲＣ接続状態と、の間で遷移するように動作し得る。これは、複数のモードのうちの少なくともいくつかを、旧来のＤＲＸ（discontinuous  reception）状態と区別するか、又は、ＵＲＡ＿ＰＣＨ状態、ＣＥＬＬ＿ＰＣＨ状態、ＣＥＬＬ＿ＦＡＣＨ状態、及びＣＥＬＬ＿ＤＣＨ状態と区別する。移動端末２０は、「3rd  Generation  Partnership  Project;  Technical  Specification  Group  Radio  Access  Network;  Radio  Resource  Control  (RRC);  Protocol  specification  (Release  12)」と題された３ＧＰＰ仕様ＴＳ２５．３３１  Ｖ１２．４．０（２０１４−１２）のセクション７．１及び７．２に定義されている複数の状態を有し、選択されたモードで動作している間に上記状態の間で切り替わり得る。移動端末２０は、消費電力が低い種々のモードのうちの１つで動作している間に信号を受信するためにこれらの状態のうちの１つにあり得るが、それぞれのモードにある間にもアイドル状態とＲＲＣ接続状態との間で切り替わるように依然として動作する。これに対し、ＵＲＡ＿ＰＣＨ状態、ＣＥＬＬ＿ＰＣＨ状態、ＣＥＬＬ＿ＦＡＣＨ状態、及びＣＥＬＬ＿ＤＣＨ状態で動作する時には、移動端末２０は常にＲＲＣ接続状態にある。
【００６７】
移動端末２０は、移動端末２０の動作を制御する処理デバイス２３を有する。処理デバイス２３は、１つのマイクロプロセッサ若しくはいくつかのマイクロプロセッサ、１つのマイクロコントローラ若しくはいくつかのマイクロコントローラ、特定用途向け集積回路（ＡＳＩＣ）、又はそうした構成要素の組み合わせ、を含み得る。処理デバイス２３は、トリガイベントが検出されるかどうかをモニタリングし、及び、いくつかのモードのうちのいずれのモードが使用されるべきかを判定するためのモード選択を実行し得る。図２から図８を参照しながらより詳細に説明するように、処理デバイス２３により実行されるモード選択において、１つの制約又はいくつかの制約が考慮される。
【００６８】
移動端末２０は、１つ又はいくつかの制約が記憶される記憶（ストレージ）デバイス２４を含み得る。それら制約のうちの各制約は、静的であるか、又は、ワイヤレスネットワーク１０により構成されるか、のいずれかであり得る。このため、ワイヤレスネットワーク１０は、制約が静的である場合には移動端末２０により使用される制約を認識し、静的でない制約は構成することができることから、移動端末２４により実行されるモード切り替えに対する制御権を依然として確実に行使することができる。
【００６９】
制約は、どのモードを選択し得るのかを、移動端末２０の１つ又はいくつかのパラメータの関数として定義し得る。１つ又はいくつかのパラメータは、ＵＥカテゴリについてのケースと同様に、時間の関数として変化し得る。
【００７０】
制約は、移動端末２０の状態に依存して、移動端末２０があるモードを選択することを阻止し得る。例示として、所定のモードの使用は、ＵＥカテゴリに制限され得る。例えばＵＥカテゴリ０又はＵＥカテゴリ１といった、現在のＵＥカテゴリとの整合性がないモードは、選択され得ない。
【００７１】
所定のモードの使用は、移動端末のケイパビリティに依存して制限され得る。例示として、移動端末２０が半二重をサポートすることができる場合にのみ、ＭＴＣモード、又はＭＴＣの少なくとも所定の省電力機能性を使用することを、移動端末２０は容認され得る。
【００７２】
所定のモードの使用は、移動端末のデータ送信に依存して制限され得る。例示として、移動端末２０が第１のレートしきい値よりもより頻繁にデータ送信を要求する場合、ＭＴＣモード又は別の省電力モードの使用は阻止され得る。さらなる例示として、移動端末２０がデータしきい値よりもより多くのデータを時間当たりに送信する場合、ＭＴＣモード又は別の省電力モードの使用は阻止され得る。さらなる例示として、移動端末２０は、予め定義された時間しきい値の間データを送信しなかった場合、ＭＴＣモード又は別の省電力モードに入ることを強いられるであろう。
【００７３】
所定のモードの使用は、移動端末２０がアクセスを試みるアクセスポイント（ＡＰ）に依存して制限され得る。例示として、移動端末２０がＷＬＡＮ  ＡＰへ接続しようとする場合、ＭＴＣモード又は別の省電力モードの使用は阻止され得る。
【００７４】
処理デバイス２３は、アプリケーションも実行し得る。少なくとも１つのアプリケーション、又はアプリケーションのうちのいくつかは、移動端末２０が例えばスタンバイモードに入った時にも、引き続き実行され得る。こうしたアプリケーションについての例は、ソーシャルネットワーク、電子メールサービス、ニュース更新センターや天気予報といった更新クライアント、を含むが、これらに限定されない。アプリケーションは、通常、ワイヤレスインタフェース２１を通じてワイヤレスネットワーク１０へデータを送信し、及び、ワイヤレスネットワーク１０からデータを受信する。
【００７５】
制約に基づいて実行されるモード選択は、移動端末２０上でどのアプリケーションが実行されるかも考慮し得る。例示として、電子メールアプリケーションが移動端末２０により実行されている時には、ニュース更新サービス又は天気予報アプリケーションのみが実行される場合よりもより頻繁に移動端末２０へデータが転送されることを可能にするモードを選択するように、制約が処理デバイス２３に強制し得る。処理デバイス２３は、移動端末２０上で実行されるアプリケーションに依存して、いずれのデータトラフィックが要求されるかを予測し、及び、少なくとも１つの制約と、移動端末２０により実行されているアプリケーションに依存して予測されたデータトラフィックとの双方に基づいて、モード選択を実行し得る。
【００７６】
処理デバイス２３は、モード選択を実行するためのトリガイベントをモニタリングし得る。例示として、トリガイベントは、移動端末２３のディスプレイ２５がオフにされることを含み得る。トリガイベントは、少なくとも予め定義された時間インターバルの間、ディスプレイ２５がオフにされていたことであってもよい。
【００７７】
追加的に又は代替的に、トリガイベントは、移動端末２０が移動されたかどうかに依存してもよい。トリガイベントは、少なくとも予め定義された時間インターバルの間、移動端末２０が移動されなかったことをモーションセンサ２６の出力信号が示すことであってもよい。
【００７８】
追加的に又は代替的に、トリガイベントは、バッテリのステータスに依存してもよい。トリガイベントは、バッテリ内の残存エネルギーがバッテリレベルしきい値に到達するか又はしきい値を下回ることであってもよい。
【００７９】
追加的に又は代替的に、トリガイベントは、移動端末２０へのデータ送信を移動端末２０が要求するレートが、データ送信レートしきい値に到達するか又はしきい値を下回ることであってもよい。
【００８０】
追加的に又は代替的に、トリガイベントは、時間当たりに移動端末２０により受信される合計データ量がデータ量しきい値を下回ることであってもよい。
【００８１】
トリガイベントを検出する際に使用され得るしきい値、及び／又は移動端末の状態に従ってどのモードが許可されるのかを判定する際に使用され得るしきい値は、それぞれ、静的であるか又はワイヤレスネットワークにより構成されるかのいずれかであり得る。
【００８２】
これらの基準のうちの１つ又はいくつかは組み合わせられ得る。例示として、ディスプレイ２５がその間オフされていた及び／又は移動端末２０がその間空間内で移動されなかった予め定義された時間インターバルは、処理デバイス２３により、バッテリのステータスに依存して設定され得る。
【００８３】
モデム２２が動作するモードについてトリガイベント選択を実行することにより、各モード切り替えについて専用のシグナリングが必要とされないことから、モード切り替えに関連付けられたネットワーク負荷が減じられ得る。特に、移動端末２０は、トリガイベントの検出後にも、モード選択を実行してその新しいモードで動作を開始する前にも、モード切り替えを容認することをワイヤレスネットワーク１０に要求することはしないように構成され得る。
【００８４】
許可されるモードを選択するために１つ又はいくつかの制約を使用することにより、モード選択は、依然として自在性の高いやり方で実現され、また、移動端末２０の多種多様な構成及び／又は動作状態を考慮し得る。それら制約のうちの各制約が、それぞれ、静的であるか又はワイヤレスネットワーク１０により構成されるかのいずれかである場合、ワイヤレスネットワーク１０は、移動端末２０により実行されるモード切り替えに対して依然として制御権を行使することができる。例示として、ＵＥカテゴリに依存するモード切り替えについて、容認できるモード切り替えに対する制御は、ＵＥカテゴリを制御することによって達せられ得る。代替的に又は追加的に、データ通信の必要性が低い移動端末２０のみがＭＴＣモード又は消費電力が低減された別のモードに確実に入るようにするために、１つ又はいくつかの制約がワイヤレスネットワーク１０により設定され得る。
【００８５】
処理デバイス２３により実行される少なくとも１つのアプリケーションに基づいて予測されるデータトラフィックに依存したモードの選択は、電力を低減しながらもそれらアプリケーションを動作させたままとすることができる。
【００８６】
移動端末２０は、種々の構成を有し得る。例示として、移動端末２０は、携帯電話、例えばスマートフォンであってよい。移動端末２０がＭＴＣモードで動作している時、又はＭＴＣモードの所定のプロトコル機能を使用している時にも、移動端末２０は、ワイヤレスネットワーク１０を通じてマシンツーマシン（Ｍ２Ｍ）端末２９と通信し得る。
【００８７】
定義されるモードの数は、移動端末２０の具体的な構成に依存し得る。このため、様々なＭ２Ｍのユースケース、様々なモードにおけるスマートフォン、非音声が中心のデバイス、などを見込んで、物理レイヤの挙動を最適化することができる。
【００８８】
図２は、一実施形態による方法３０のフローチャートである。方法３０は、移動端末２０の処理デバイス２３により実行され得る。
【００８９】
３１において、処理デバイスは、移動端末の状態をモニタリングする。状態をモニタリングすることは、ディスプレイ２５がオフにされている時間長をモニタリングすることを含み得る。状態をモニタリングすることは、モーションセンサ２６の出力信号により示されるような、移動端末２０が移動されなかった時間ピリオドをモニタリングすることを含んでもよい。状態をモニタリングすることは、移動端末２０上で実行されるアプリケーションをモニタリングすることを含んでもよい。
【００９０】
３２において、トリガイベントが検出されるかどうかを判定する。トリガイベントは、ディスプレイ２５がオフにされていた時間のしきい値比較、移動端末２０が移動されなかった時間のしきい値比較、移動端末２０に対して行われるデータ送信を移動端末２０が要求するレートのしきい値比較、及び／又は、移動端末２０により送信され又は受信されるデータ量のしきい値比較、に依存し得る。他の基準も使用され得る。例示として、バッテリレベルもモード選択をトリガし得る。トリガイベントが検出されない場合、方法は３１に戻る。それ以外の場合、方法は３３に進む。
【００９１】
３３において、処理デバイス２３によりモード選択が実行される。モード選択は、１つ又はいくつかの制約に基づいて実行される。１つ又はいくつかの制約のうちの各制約は、それぞれ、静的であるか又はワイヤレスネットワーク１０により構成されるかのいずれかであり得る。
【００９２】
モード選択は、図１を参照しながら説明したように、また、図３〜図８を参照しながらさらに詳細に説明するように、種々の異なるフォーマットを有し得る。
【００９３】
３４において、処理デバイス２３は、モデムに、選択されたモードで動作を開始させる。３４においてもたらされるモードの変更により、移動端末は、周波数ホッピング方式（例えば、サブバンドにおいて周波数ホッピングが実行されるパターン）、最大出力電力、消費電力、又は利用可能な帯域幅、のうちの少なくとも１つを変更し得る。
【００９４】
この方法では、移動端末２０は、ステップ３２〜３４においてワイヤレスネットワークとのシグナリングが何ら実行されないように動作し得る。モデム２２の動作モードの変更は、モードの変更を実現するためにワイヤレスネットワーク１０とのシグナリングを何ら実行することなく、移動端末２０により自律的に、イベントトリガ式に実行され得る。
【００９５】
トリガイベントの１つの例示的な実装として、少なくとも予め定められた時間ピリオドの間、移動端末が使用されなかった時に、ユーザの非活動（inactivity）が、移動端末２０に、モード選択を実行させ得る。
【００９６】
図３は、一実施形態による方法４０のフローチャートである。
【００９７】
４１において、ユーザの非活動が検出される。ユーザの非活動は、あるインターバル中に移動端末２０が変位されなかったことを示すモーションセンサ２６の出力信号に応答して検出され得る。
【００９８】
４２において、ディスプレイはオフにされ得る。
【００９９】
４３において、トリガイベントが発生するかどうかを判定するために、処理デバイス２３は、予め定められた時間ピリオドの間ディスプレイがオフにされていたかどうかを判定し得る。予め定められた時間ピリオドの間ディスプレイがオフにされていたのでなければ、ユーザアクションにより移動端末２０がフル動作状態に戻されることのない限り、４３においてモニタリングは継続され得る。
【０１００】
予め定められた時間ピリオドの間ディスプレイがオフにされていたと判定されると、３３及び３４において、モード選択を実行し、及び、選択されたモードに従ってモデムを動作させ得る。ステップ３３及び３４は、図２を参照しながら説明したように実現され得る。
【０１０１】
図４は、移動端末２０のモデム２２の種々のモード４５〜４８を示す図である。モデム２２は、例えば、ＤＲＸのフルアクティブモードに対応し得るデフォルトモード４５を有し得る。
【０１０２】
モデム２２は、複数のさらなるモード４６〜４８を有し得る。さらなるモード４６〜４８のうちの少なくとも１つは、ＭＴＣモードであるか、又は、消費電力を低減するためにＭＴＣモードのプロトコル機能を使用し得る。さらなるモード４６〜４８のうちの１つ又はいくつかにおいて、変調方式は、デフォルトモード４５の変調方式とは異なり得る。さらなるモード４６〜４８のうちの１つ又はいくつかにおいて、周波数ホッピング方式は、デフォルトモード４５の周波数ホッピング方式とは異なり得る。さらなるモード４６〜４８のうちの１つ又はいくつかは、デフォルトモード４５のモデム消費電力よりも概して少ないモデム消費電力を有し得る。
【０１０３】
モード選択を実行する際、処理デバイス２３は、１つ又はいくつかの制約を考慮する。１つ又はいくつかの制約は、移動端末２０により実行されているアプリケーション、過去の若しくは予測されるデータトラフィック、又は他の状態といった、移動端末の状態に依存して評価され得る。移動端末の状態に依存して、さらなるモードのうちの１つ又はいくつかは容認され得ない。例示として、移動端末２０が移動端末２０へのデータ送信を要求するレートが、レートしきい値に到達するか又はそのしきい値を超える場合、ＭＴＣモード４８又はＭＴＣのプロトコル機能を使用するモード４８は、制約４９に鑑みて許可され得ない。
【０１０４】
図４は、移動端末２０と、ワイヤレスネットワーク１０の基地局１１と、を含むシステムについてのシグナリング図である。
【０１０５】
移動端末２０と基地局１１との間にＲＲＣシグナリング５１があり得る。こうしたＲＲＣシグナリング５１は、モード選択を実行する際に考慮される１つ又はいくつかの制約を構成するために使用され得る。
【０１０６】
トリガイベント５２の検出に応答して、移動端末２０は、モード選択５３を実行し、５４において、選択されたモードに従ってモデムに動作を開始させる。このモード変更を実現するために、移動端末２０と基地局１１との間でシグナリングは不要である。
【０１０７】
モード選択５３において使用される１つ又は複数の制約のうちの各制約が、静的であるか又はワイヤレスネットワークにより構成されるかのいずれかである場合には、新たに選択されたモードで移動端末２０が動作を開始する時に、ワイヤレスネットワークは、移動端末２０との通信のための自身の設定も調整し得る。例示として、特定の変調方式、周波数ホッピング方式、又はＤＲＸ周期長を有するモードのみが移動端末２０により選択され得ることを確実にするために、制約がすべて静的であるか又はワイヤレスネットワーク１０により構成されるかのいずれかである場合、移動端末の新しいモードがアップリンク及びダウンリンク通信において適応され得ることを確実にするために、ワイヤレスネットワーク１０はその構成を調整し得る。
【０１０８】
図５は、移動端末２０と、ワイヤレスネットワーク１０の基地局１１と、を含むシステムについてのシグナリング図である。
【０１０９】
移動端末２０と基地局１１との間にＲＲＣシグナリング５９があり得る。このシグナリングにおいて、モード選択を実行する際に考慮される１つ又はいくつかの制約をワイヤレスネットワーク１０が構成する。
【０１１０】
ワイヤレスネットワーク１０は、どのモードが移動端末２０により選択され得るかを判定するためのしきい値比較において使用される少なくとも１つのしきい値を構成するように動作し得る。例示として、移動端末２０へのデータ送信を移動端末２０が要求するレートがレートしきい値を超える時にどのモードが許可され得ないかを定義する当該レートしきい値を構成するように、ワイヤレスネットワーク１０は動作し得る。例示として、移動端末２０へのデータ送信を移動端末２０が要求するレートが当該レートしきい値を超える場合、ＭＴＣモードの使用、又はＭＴＣプロトコル機能を使用するモードの使用が阻止され得る。
【０１１１】
さらなる例示として、時間当たりに移動端末２０へ又は移動端末２０から送信されるデータ量がデータ量しきい値を超える時にどのモードが許可され得ないかを定義する当該データ量しきい値を構成するように、ワイヤレスネットワーク１０は動作し得る。例示として、移動端末２０へ又は移動端末２０から送信されるデータ量が当該データ量しきい値を超える場合、ＭＴＣモードの使用、又はＭＴＣプロトコル機能を使用するモードの使用が阻止され得る。
【０１１２】
少なくとも１つの制約を構成するために他の技術が使用され得る。例示として、システム情報ブロック（ＳＩＢ）は、モード選択のために適用可能な少なくともいくつかの又はすべての制約に関する情報を含み得る。
【０１１３】
制約は、図６を参照しながら説明するように、モード選択のために移動端末により使用され得る。尚、図６において移動端末により制約が構成されるが、モード切り替えを実現するために専用のシグナリングは不要である。
【０１１４】
制約は、ワイヤレスネットワーク１０により、セル固有のやり方で構成され得る。ワイヤレスネットワーク１０は、異なるセルについて異なる制約を構成するように動作し得る。例示として、ワイヤレスネットワーク１０の第１のセルに滞在する移動端末について、第１の組の制約が構成され得る。ワイヤレスネットワーク１０の第２のセルに滞在する移動端末について、第１の組とは異なる第２の組の制約が構成され得る。
【０１１５】
ワイヤレスネットワーク１０は、それぞれのセルに滞在する複数の移動端末に依存して、それぞれのセルについてレポートされる干渉に依存して、及び／又は、基地局１１〜１３によりモニタリングされ得る若しくは移動端末によりレポートされ得る他のパラメータに依存して、セル固有のやり方で、制約を構成するように動作し得る。
【０１１６】
図７は、一実施形態による移動端末２０の種々のモードを概略的に示す。
【０１１７】
アイドルモード６６は、移動端末２０がＲＲＣ非接続とされるモードであり得る。
【０１１８】
デフォルトモード６１は、ＤＲＸ動作において移動端末２０がＲＲＣ接続状態に留まるか又はＲＲＣ接続状態とアイドル状態との間で遷移するモードに対応し得る。
【０１１９】
ＭＴＣモード６２は、移動端末２０がＬＴＥ−ＭＴＣに従って動作するモードであり得る。代替的に、ＭＴＣ固有のプロトコル機能のうちの少なくともいくつかを移動端末２０が使用し得るモード６２が使用され得る。
【０１２０】
ＭＴＣモード６２で動作している間、移動端末２０は、データを受信し及び送信することができるアクティブ状態６３と、データを受信し及び送信することができない低消費電力（ＬＰＣ）状態６４と、の間で繰り返し遷移し得る。
【０１２１】
制約は、実行されているアプリケーション、着信及び発信データトラフィックパターン、ディスプレイのオン若しくはオフの状態、又は他の状態といった、移動端末の状態に依存して、異なるモード間でいずれの遷移が行われ得るかを定義し得る。例示として、着信及び発信データトラフィックパターンに依存して、移動端末は、デフォルトモード６１からＭＴＣモード６２又はアイドルモード６６のいずれかへ遷移し得る。
【０１２２】
図８は、一実施形態による移動端末２０の機能ブロック表現である。
【０１２３】
モード制御ロジック７１は、トリガイベントを検出し、及び、少なくとも１つの制約に従ってモード選択を実行し得る。モード制御ロジック７１は、ディスプレイがオン又はオフされるかどうかを示す信号８１に依存して、モード選択を開始し得る。代替的に又は追加的に、モード制御ロジック７２は、移動端末の動きを示す信号８２に依存して、モード選択を開始してもよい。動きを示す信号８２は、モーションセンサの出力信号であり得る。モード選択を実行すべきと判定するために、代替的な又は追加的な信号が評価され得る。例示として、時間当たりの着信若しくは発信データトラフィック量、及び／又は、データ送信が要求されるレートが、モード選択を実行するためのトリガとして使用され得る。
【０１２４】
モード制御ロジック７１は、端末の状態及び、移動端末２０に記憶されている少なくとも１つの制約７３に基づいて、モード選択を実行し得る。この少なくとも１つの制約７３は、静的であるか又はワイヤレスネットワーク１０により構成され得る。いくつかの制約７３のうちの各制約は、静的であるか又はワイヤレスネットワーク１０により構成されるかのいずれかであり得る。
【０１２５】
モード制御ロジック７１は、いずれのモードが選択され得るかを制約に基づいて評価するために、移動端末の利用に関する種々の情報を使用し得る。モード制御ロジック７１は、移動端末２０のＵＥカテゴリ８３及び種々の制約に適合するモードを識別し得る。例示として、ＭＴＣモード、又はＭＴＣに固有のプロトコル機能を使用するモードは、１つの特定のＵＥカテゴリについて又は１組の特定のＵＥカテゴリについてのみ利用可能であり、他のＵＥカテゴリについては禁止され得る。モード制御ロジック７１は、追加的に又は代替的に、着信又は発信データトラフィック及び種々の制約に適合するモードを識別し得る。モード制御ロジック７１は、移動端末により実行されているアプリケーションに関する情報８５を使用して、将来のトラフィック需要を予測し、又は、過去のデータトラフィックに基づいて制約に鑑みていずれのモードが利用可能であるかを判定し得る。例示として、ＭＴＣモード、又はＭＴＣに固有のプロトコル機能を使用するモードは、時間当たりの合計データ量がデータ量しきい値よりも少ない場合、及び／又は、移動端末２０がデータ送信を要求するレートがレートしきい値よりも低い場合にのみ利用可能であり、データ量がより多い場合、又は、より高いレートでの送信を移動端末が要求する場合には禁止され得る。
【０１２６】
いくつかのモードが移動端末について許容される場合、移動端末は、例えば、複数のモードのうち、モデム消費電力が最も低いモードを選択し得る。
【０１２７】
モード制御ロジック７１は、モード選択により選択されるモードで動作を開始するようにモデム７２を制御し得る。モード切り替えは、移動端末とワイヤレスネットワークとの間のレイヤ１、レイヤ２、及び／又はレイヤ３のシグナリングを適合させることを含み得る。モード切り替えは、周波数ホッピングパターン、周波数ホッピングレート、変調方式、最大出力電力、又は他のパラメータのうちの少なくとも１つを適合させることを含み得る。
【０１２８】
モード制御ロジック７１は、ファイアウォール７５も選択的に制御し得る。ファイアウォール７５は、移動端末２０上で実行中の１つ又はいくつかのアプリケーション７４がワイヤレスネットワークへデータを送信することを制限し又は阻止するように動作し得る。ファイアウォール７５は、発信データ転送のためのアプリケーションによるモデムの利用を限定し得る。
【０１２９】
複数のモードのうちの１つ又はいくつかの利用を制御するために、多岐にわたる様々な制約が使用され得る。制約は、移動端末２０のＵＥカテゴリ又は半二重ケイパビリティといった他のプロトコル機能に依存し得る。
【０１３０】
例示として、制約は、所定のモードの利用を、特定のＵＥカテゴリに限定し得る。
【０１３１】
制約は、所定のモードの利用を、半二重ケイパビリティを有する移動端末２０に限定し得る。例示として、ＭＴＣに固有の少なくともいくつかのプロトコル機能の使用は、半二重ケイパビリティを有する移動端末２０についてのみ許可され得る。
【０１３２】
異なるモードは、制約により考慮され得る異なる限定を有し得る。
【０１３３】
例示として、あるモードについて、レートしきい値よりも高いレートでのデータ送信を要求することを、移動端末２０は許可され得ない。モニタリングされる又は予測されるデータ送信レートが当該レートしきい値よりも高い場合、移動端末２０がそうしたモードを選択することを、制約が阻止し得る。
【０１３４】
さらなる例示として、あるモードについて、時間当たりにデータ量しきい値を超えるデータ量を送信することを、移動端末２０は許可され得ない。モニタリングされる又は予測されるデータトラフィックが、当該データ量しきい値を超えるデータ量が送信されるであろうことを示す場合、移動端末２０がそうしたモードを選択することを、制約が阻止し得る。
【０１３５】
さらなる例示として、あるモードについて、所定のＡＰ又は所定のタイプのＡＰにアクセスすることを、移動端末２０は許可され得ない。移動端末２０がこのようなＡＰ又はこのようなタイプのＡＰに現在接続しているか又は以前に接続を試みたことを処理デバイス２３が検出する場合、移動端末２０がそうしたモードを選択することを、制約が阻止し得る。
【０１３６】
さらなる例示として、あるモードについて、移動端末がある時間ピリオドの間データを送信しなかった場合に移動端末がそのモードに入るべきことを特定する時間の限定が存在してもよい。移動端末２０がより頻繁にデータを送信することを処理デバイス２３が検出する場合、移動端末２０がそうしたモードを選択することを、制約が阻止し得る。移動端末２０が上記時間ピリオドの間データを送信しなかったことを処理デバイス２３が検出する場合、移動端末２０がそうしたモードを選択するように、制約が強制し得る。
【０１３７】
制約において適用可能な種々のしきい値又は他の基準は、ワイヤレスネットワーク１０により設定され得る。例示として、モード選択において使用される制約により定義されるしきい値は、制約を構成するためにワイヤレスネットワーク１０により設定され得る。これは、ネットワーク固有の又はセル固有のやり方で行われ得る。制約をネットワーク固有の又はセル固有のやり方で構成するために、ＲＲＣシグナリングといった専用のシグナリングが使用され得る。
【０１３８】
種々の実施形態は、移動端末２０のモード切り替えを、各モード切り替えについて明示的なシグナリングを必要とすることなく、ワイヤレスネットワーク１０が制御することができるようにする。これにより、モード切り替え制御シグナリングに関連付けられるネットワーク負荷を大幅に増大させることなく、当該技術が、同じセル内の複数の移動端末により使用され得る。これは、モード切り替えがいつどのように発生するかを定義する制約に対するネットワークによる制御を維持しながら、達成されることができる。
【０１３９】
実施形態に従ったデバイス及び方法により、種々の効果が獲得される。例示として、本発明の種々の実施形態は、移動端末２０のモード切り替えを実現するために明示的な専用シグナリングを必要とすることなく、ワイヤレスネットワーク１０が当該モード切り替えを制御することができるようにする。移動端末とＲＡＮとの間のレイヤ１、レイヤ２、及び／又はレイヤ３のシグナリングについてのパラメータ設定は、選択されたモードに依存し得るが、移動端末は、選択されたモードにおいてＲＲＣ接続状態とＲＲＣ非接続状態との間で依然として切り替わることができる。
【０１４０】
例示的な実施形態について図面を参照しながら説明してきたが、他の実施形態において変形が実装され得る。例示として、移動端末は、携帯電話、Ｍ２Ｍ端末、又は別の移動端末であってもよい。さらに、例示的なネットワーク技術を説明してきたが、本発明の実施形態は他のネットワーク技術と組み合わせて使用され得る。
【０１４１】
種々の機能ユニットの動作は、ハードウェア、ソフトウェア、又はそれらの組み合わせにより実装され得る。例示として、モードを選択するロジックの機能は、不揮発性メモリ内にプログラムされている命令を実行するマイクロプロセッサ又はマイクロコントローラにより実行され得る。
【図１】
0006457110.tif 000002
【図２】
0006457110.tif 000003
【図３】
0006457110.tif 000004
【図４】
0006457110.tif 000005
【図５】
0006457110.tif 000006
【図６】
0006457110.tif 000007
【図７】
0006457110.tif 000008
【図８】
0006457110.tif 000009